(57)【特許請求の範囲】
【請求項１】
排尿を受けるボウル部を有する便器本体と、
前記便器本体の下部と接続する排水管及び前記便器本体を囲繞し、底部を床面から所定の高さ離隔して形成し、前記底部に開口を設けたケース体と、
前記開口を通じてケース体外部と通じる排気通路と、を有する便器。
【請求項２】
前記開口は、便器の正面手前下の床面に通じていることを特徴とする請求項１に記載の便器。
【請求項３】
前記排気通路は、前記ケース体外部に強制的に空気を換気する換気扇と連結されていることを特徴とする請求項１又は２に記載の便器。
【請求項４】
前記便器は男性用水洗小便器であることを特徴とする請求項１〜３のいずれか１項に記載の便器。
【請求項５】
前記換気扇の上流側に前記換気扇のファンにゴミが付着するのを抑制するためのフィルターを設置することを特徴とする請求項３に記載の便器。
【発明の詳細な説明】
【技術分野】
【０００１】
本発明は、便器に関する。
【背景技術】
【０００２】
例えば、男性用小便器（以下、小便器）の正面手前下の床面である通称おだれ部には、小便器から飛散した尿や尿の飛沫が付着して悪臭が発生する。また長時間の使用では衛生や清潔感を保つことができなくなる。そこで、床面を保護するため、石板（いわゆるおだれ石）や金属製の小便器用のステップが装備されることが多い。特に飲食店のトイレ等では悪臭の発生を防止することや清潔感を保つことは不可欠であり、様々な工夫がされている。また、従来の換気装置は天井部や壁面上部に設けられていた。
【０００３】
また、センサーで便器使用を検知し、自動で洗浄を行なう、あるいは所定の時間で洗浄を行なう機能を有する便器ユニットも実用に供されている。
【先行技術文献】
【特許文献】
【０００４】
【特許文献１】実用新案登録第３１５０７２５号公報
【特許文献２】特開平９−２２８４５６号公報
【発明の概要】
【発明が解決しようとする課題】
【０００５】
しかし、自動洗浄がなされても、小便器の外にこぼれた尿により悪臭が発生し、清掃を怠たると、おだれ石に付着した尿により清潔感を損ないトイレ利用者に不快感を生じさせるという問題があった。
【０００６】
本発明は、上記事情に鑑みてなされたものであり、用を足す場合の足下に付着した尿に起因する悪臭を効率よく解消することができる小便器を提供することを技術的課題とする。
【課題を解決するための手段】
【０００７】
すなわち、本発明の便器は、便器本体と、便器本体を囲繞し、底部に開口するケース体と、このケース体の底部に設けられ前記開口を通じてケース体外部と通じる排気通路と、を有する便器である。
【０００８】
前記便器本体は給・排水管と連結していることが好ましい。
【０００９】
また、前記開口は、便器の正面手前下の床面に通じていることを特徴とする。
【００１０】
さらに前記パイプ体は、前記ケース体外部に強制的に空気を換気する換気扇と連結されていると好適である。
【００１１】
前記便器は男性用小便器に適用できる。
【００１２】
また、本発明は、便器に設置され、一端が便器の正面手前下の床面近傍に設置され、他端が大気中に臨むパイプ体と、パイプ体の前記一端に設置される換気扇と、を有する便器でもある。
【００１３】
さらに、前記換気扇の上流側には換気扇のファンにゴミが付着するのを抑制するためのフィルターを設置すると好適である。
【発明の効果】
【００１４】
本発明の便器は、ケース体の底部に設けられ前記開口を通じてケース体外部と通じるパイプ体を有するので、便器の正面手前下の床面とケース体外部とをパイプ体を介して連通する。このため、便器の正面手前下の床面に漏れたり、付着したりした尿の臭いをケース体外部に排出できる。よって、尿の悪臭によりトイレ利用者に不快感を生じさせることがないようにすることができる。
【図面の簡単な説明】
【００１５】
【図１】本発明便器の第１実施例の全体斜視図である。
【図２】図１の正面図である。
【図３】図１の側面図である。
【図４】図１の平面図である。
【図５】本発明便器の第２実施例の全体側面図である。
【発明を実施するための形態】
【００１６】
以下、この発明を実施するための形態（以下、実施形態）を実施例に基づいて例示的に説明する。ただし、この実施例に記載されている構成部品の寸法、材質、形状その相対配置などは、特に特定的に記載がない限りは、この発明の範囲をそれらに限定する趣旨ではない。
【実施例１】
【００１７】
本発明の便器を男性用水洗小便器に適用した場合を図１〜４を参照して例示する。
男性用水洗小便器は、床置型（ストール型）、大型、中型、小型に分類される。
本実施例に係る男性用水洗小便器（以下、小便器）１は、床面から離隔する小便器である（図１、２、３参照）。
【００１８】
小便器１は、小便が排出される便器本体３と、便器本体３を囲繞するケース体５とを有する（図２参照）。
便器本体３は、小便の排泄に使用する衛生陶器であり、座らずに用を足す形になっている。便器本体３の構造は、概ね、使用者の前面に立設されて排尿を受ける受面部３１と、その下方に連接され使用者に向けて突き出し、垂れる尿を受ける部分である垂れ受部分３４とを含むボウル部３２を含む（図１、２、３参照）。
【００１９】
受面部３１は、ほぼ平らな面形状をしており、正面形状で競技用のトラックに似た形状をしている。また、図示しない外部給水管と接続されている。そして、外部給水管から供給された水を便器本体３内に給水するための給水部３５を頂部備える（図２参照）。
【００２０】
また、ボウル部３２は、受面部３１と連側し、調理に使う深さのある容器であるボウルに似た形状をしている（図３参照）。ボウル部３２の最低位部分には排水口３６が設けられている（図４参照）。排水口３６には、有底円筒状をしたトラップ１３が接続されている。トラップ１３は、小便器１の長手（上下）方向に延びる中心線上において下方に延ばされている（図２、３参照）。そして、トラップ１３には、図示しない外部下水管に接続された排水管１６が湾曲された状態で連接されている（図３参照）。
【００２１】
そして、図示しない電磁弁装置により給水部３５から配水される洗浄水により受面部３１とボウル部３２の内面が洗浄される。洗浄後の水は、前記排水口３６から、トラップ及び排水管１６を経由して、前記外部下水管に排水される（図１、３参照）。
【００２２】
ケース体５は、このような便器本体３を囲繞するものである。
具体的には、ケース体５は、便器本体３の受面部３１と、垂れ受部分３４を含むボウル部３２と、ボウル部３２の最低位部分に位置する排水口３６と、排水口３６に接続されたトラップ１３と（図２参照）、トラップ１３に接続され、図示しない外部下水管に接続される排水管１６とを覆う。また、ケース体５の底面は、床面から離隔し、床面との間に区間ＳＰを形成する（図２，３参照）。
但し、受面部３１に対する部位は開放されている。
【００２３】
ケース体５で便器本体３を覆うと、両者間にはスペースＳが画成される。スペースＳの形状は、便器本体３をケース体５で覆ったときにケース体５の内面と便器本体３の外面とによって画成される形状であり、正面形状でみてほぼＵ字形をしている。スペースＳは、当該スペースＳに、ボウル部３２、その下方部にあるトラップ１３、排水管１６及びパイプ体７を収納できるだけの十分な容積を有する。そして、ケース体５には、その底部にトイレの床面に通じる開口Ｏが形成されている（図３参照）。ケース体５の底面は、床面から離隔しているので、開口Ｏは、床面から所定高さに位置する。開口Ｏは、どんな形状でもかまわないが、好ましくは、ケース体５の下面にできるだけ大きく開口した形状のものが好ましい。
【００２４】
この開口Ｏにパイプ体７の一方の口７１を連結するか、又は通す（図２、３参照）。
またパイプ体７の他方の開口７３をケース体５の外部に導出する。こうすることで、トイレの床面周りの空気と外気とが、パイプ体７を通じて連通する（図３参照）。なお、この実施例では、パイプ体７が、排水管１６よりも上部に位置する場合を例示したがこれに限らない。
【００２５】
小便器１を利用して用を足すと、小便は、排尿を受ける受面部３１−垂れ受部分３４を含むボウル部３２−ボウル部３２の最低位部分に位置する排水口３６−トラップ１３−排水管１６を経由して図示しない外部下水管に至る。
【００２６】
そして、垂れ受部分３４があっても、尿は便器内から飛散し、又は便器からそれてしまう場合がある。このように、床面に垂れてしまった尿は臭いを発する。しかし、床面に垂れた尿の臭いは、次のようにして外部に排出される。
【００２７】
すなわち、小便器１は、ケース体５の底部５１に設けられた開口Ｏを通じてケース体５の外部と通じるパイプ体７を有するので、小便器１の床下、詳しくは正面手前下の床面とケース体外部（外気）とをパイプ体７を介して連通する。このため、小便器１の正面手前下の床面に漏れたり付着したりした尿の臭いをケース体５の外部に向けて排出できる。これは、物質の拡散、すなわち、粒子、熱、運動量などが自発的に散らばり広がる物理現象を利用したものである。よって、尿の悪臭によりトイレ利用者に不快感を低減することができる。したがって、パイプ７は、排気通路ということができる。
【実施例２】
【００２８】
図５を参照して、実施例２を証明する。この実施例２が実施例１と相違する点は、小便器１の側面に一端が便器の正面手前下の床面近傍に設置され、他端が大気中に臨むパイプ体７ａと、パイプ体７ａの前記一端に設置される換気扇８０とを設けた点に大きな違いがある。
【００２９】
また、小便器１の正面手前下の床面近傍箇所にフィルター９０を設置してある。
【００３０】
本実施例２の場合も小便器１の正面手前下の床面に漏れたり付着した尿の臭いを換気扇
８０によってケース体５の外部に排出できる。よって、尿の悪臭によりトイレ利用者に不快感を生じさせないようにできる。したがって、パイプ７は、床面脱臭換気口ということができる。
【００３１】
また小便器１の正面手前下の床面近傍箇所にフィルター９０を取り付けてある。このフィルターは、換気扇８０のファンにゴミが付着するのを抑制するため換気扇８０の近傍（例えば直下）に設けたものである。なお、換気扇とフィルターとをつなぐ図示しない空気通路が、便器本体内に形成されている。
【００３２】
なお、この実施形態では、床から幾分離隔した大型の小便器を例示したが、床置型の場合にも適用できる。その場合、パイプ体７の一端を便器の側面に案内することで、当該一端から臭気をケース体５の外部に放出することができる。
また、換気扇は、小便器の側面に取り付けたものを開示したが、小便器に内蔵したものでもよく、小便器近傍で小便器以外の箇所に設けたものでもよい。いずれにしろ小便器の近傍に換気扇及びフィルタが設置されているので、それらを掃除するのも便利である。
【符号の説明】
【００３３】
１ 小便器（便器）
３ 便器本体
５ ケース体
７ パイプ体（排気通路）
７ａ パイプ体
１３ トラップ
１６ 排水管
３１ 受面部
３２ ボウル部
３４ 垂れ受部分
３５ 給水部
３６ 排水口
５１ 底部
７１ パイプ体の一方の口
７３ パイプ体の他方の口
８０ 換気扇
９０ フィルター
Ｏ 小便器の底部の開口
Ｓ ケース体と便器本体との間スペース
【図１】
0005805998.tif 000002
【図２】
0005805998.tif 000003
【図３】
0005805998.tif 000004
【図４】
0005805998.tif 000005
【図５】
0005805998.tif 000006